(57)【要約】【課題】  画像を表示するときにその一部を正確に隠して表示することができる画像表示システム、携帯端末装置、制御方法、及び、制御プログラムを提供する。【解決手段】撮像部５により撮像された用紙２１の画像情報において、第１の色が付された第１の着色部分３３及び第２の色が付された第２の着色部分３４をそれぞれ検出し、検出した第１の着色部分３３及び第２の着色部分３４が予め設定された距離より近接しているときは、第１の着色部分３３及び第２の着色部分３４に基づいて表示領域１２に対するマスキング領域３２を画定し、用紙２１の画像情報を表示部６に表示し、マスキング領域３２にマスキング画像３５を表示し、タッチパネル７のタッチに基づいてマスキング画像３５を非表示にする。【選択図】図６
2013130910.tif 000002
【特許請求の範囲】
【請求項１】
平面視矩形状の表示領域を有するマーク部を用紙に記入可能な記入用具と、
前記記入用具により前記マーク部が記入された前記用紙の画像情報を処理する携帯端末装置と、を備え、
前記マーク部は、前記表示領域の一方側に付された第１の色と、当該第１の色に近接して前記表示領域の他方側に付された第２の色とを有し、
前記携帯端末装置は、
前記用紙を撮像可能な撮像部と、
前記撮像部により撮像された前記用紙の画像情報を表示可能な表示部と、
前記表示部上に配置されたタッチパネルと、
制御部と、を備え、
前記制御部は、
前記撮像部により撮像された前記用紙の画像情報において、前記第１の色が付された第１の着色部分及び前記第２の色が付された第２の着色部分をそれぞれ検出し、
検出した前記第１の着色部分及び前記第２の着色部分が予め設定された距離より近接しているときは、当該第１の着色部分及び第２の着色部分に基づいて前記表示領域に対するマスキング領域を画定し、
前記用紙の画像情報を前記表示部に表示し、
前記マスキング領域にマスキング画像を表示し、
前記タッチパネルのタッチに基づいて前記マスキング画像を非表示にする画像表示システム。
【請求項２】
前記制御部は、前記用紙の画像情報を補正する、請求項１に記載の画像表示システム。
【請求項３】
平面視矩形状の表示領域を有するマーク部が記入用具により記入された用紙の画像情報を処理する携帯端末装置であって、
前記マーク部は、前記表示領域の一方側に付された第１の色と、当該第１の色に近接して前記表示領域の他方側に付された第２の色とを有し、
前記用紙を撮像可能な撮像部と、前記撮像部により撮像された前記用紙の画像情報を表示可能な表示部と、前記表示部上に配置されたタッチパネルと、制御部と、を備え、
前記制御部は、
前記撮像部により撮像された前記用紙の画像情報において、前記第１の色が付された第１の着色部分及び前記第２の色が付された第２の着色部分をそれぞれ検出し、
検出した前記第１の着色部分及び前記第２の着色部分が予め設定された距離より近接しているときは、当該第１の着色部分及び第２の着色部分に基づいて前記表示領域に対するマスキング領域を画定し、
前記用紙の画像情報を前記表示部に表示し、
前記マスキング領域にマスキング画像を表示し、
前記タッチパネルのタッチに基づいて前記マスキング画像を非表示にする携帯端末装置。
【請求項４】
平面視矩形状の表示領域を有するマーク部を用紙に記入可能な記入用具と、前記記入用具により前記マーク部が記入された前記用紙の画像情報を処理する携帯端末装置と、を備える画像表示システムを制御する制御方法であって、
前記マーク部は、前記表示領域の一方側に付された第１の色と、当該第１の色に近接して前記表示領域の他方側に付された第２の色とを有し、
前記携帯端末装置は、
前記用紙を撮像可能な撮像部と、
前記撮像部により撮像された前記用紙の画像情報を表示可能な表示部と、
前記表示部上に配置されたタッチパネルと、
制御部と、を備え、
前記制御部が、
前記撮像部により撮像された前記用紙の画像情報において、前記第１の色が付された第１の着色部分及び前記第２の色が付された第２の着色部分をそれぞれ検出するステップと、
検出した前記第１の着色部分及び前記第２の着色部分が予め設定された距離より近接しているときは、当該第１の着色部分及び第２の着色部分に基づいて前記表示領域に対するマスキング領域を画定するステップと、
前記用紙の画像情報を前記表示部に表示するステップと、
前記マスキング領域にマスキング画像を表示するステップと、
前記タッチパネルのタッチに基づいて前記マスキング画像を非表示にするステップと、を実行する制御方法。
【請求項５】
平面視矩形状の表示領域を有するマーク部を用紙に記入可能な記入用具と、前記記入用具により前記マーク部が記入された前記用紙の画像情報を処理する携帯端末装置と、を備える画像表示システムを制御する制御プログラムであって、
前記マーク部は、前記表示領域の一方側に付された第１の色と、当該第１の色に近接して前記表示領域の他方側に付された第２の色とを有し、
前記携帯端末装置は、
前記用紙を撮像可能な撮像部と、
前記撮像部により撮像された前記用紙の画像情報を表示可能な表示部と、
前記表示部上に配置されたタッチパネルと、
制御部と、を備え、
前記制御部に、
前記撮像部により撮像された前記用紙の画像情報において、前記第１の色が付された第１の着色部分及び前記第２の色が付された第２の着色部分をそれぞれ検出するステップと、
検出した前記第１の着色部分及び前記第２の着色部分が予め設定された距離より近接しているときは、当該第１の着色部分及び第２の着色部分に基づいて前記表示領域に対するマスキング領域を画定するステップと、
前記用紙の画像情報を前記表示部に表示するステップと、
前記マスキング領域にマスキング画像を表示するステップと、
前記タッチパネルのタッチに基づいて前記マスキング画像を非表示にするステップと、を実行させる制御プログラム。
【発明の詳細な説明】
【技術分野】
【０００１】
本発明は、撮像したものの画像を表示する画像表示システムに関する。また、この画像表示システムのための携帯端末装置、制御方法、及び、制御プログラムに関する。
【背景技術】
【０００２】
近年の情報処理技術の発達により、例えば、携帯電話やスマートフォンなどの携帯端末装置により様々なものを撮像することが行われており、例えば、書類やノートなどの用紙を撮像することも行われている。また、撮像したものの画像を携帯端末装置の画像表示部に表示し、ユーザーがその画像を見ることがある。（例えば、特許文献１参照）
【先行技術文献】
【特許文献】
【０００３】
【特許文献１】特開２０１１‐０６６６９０号公報
【発明の概要】
【発明が解決しようとする課題】
【０００４】
上記のように、何かを撮像してその画像を画像表示部に表示する場合、通常は、撮像したもの全てを表示するように構成されている。しかしながら、全てを表示せずに部分的に画像を隠して表示したいという要求が従来からあった。
【０００５】
本発明は、上記問題を解決するためになされたものであって、画像を表示するときにその一部を正確に隠して表示することができる画像表示システム、携帯端末装置、制御方法、及び、制御プログラムの提供を目的とする。
【課題を解決するための手段】
【０００６】
本発明は、上記課題を解決するための画像表示システムであって、平面視矩形状の表示領域を有するマーク部を用紙に記入可能な記入用具と、前記記入用具により前記マーク部が記入された前記用紙の画像情報を処理する携帯端末装置と、を備え、前記マーク部は、前記表示領域の一方側に付された第１の色と、当該第１の色に近接して前記表示領域の他方側に付された第２の色とを有し、前記携帯端末装置は、前記用紙を撮像可能な撮像部と、前記撮像部により撮像された前記用紙の画像情報を表示可能な表示部と、前記表示部上に配置されたタッチパネルと、制御部と、を備え、前記制御部は、前記撮像部により撮像された前記用紙の画像情報において、前記第１の色が付された第１の着色部分及び前記第２の色が付された第２の着色部分をそれぞれ検出し、検出した前記第１の着色部分及び前記第２の着色部分が予め設定された距離より近接しているときは、当該第１の着色部分及び第２の着色部分に基づいて前記表示領域に対するマスキング領域を画定し、前記用紙の画像情報を前記表示部に表示し、前記マスキング領域にマスキング画像を表示し、前記タッチパネルのタッチに基づいて前記マスキング画像を非表示にする画像表示システムである。
【０００７】
このような構成によれば、マーク部が第１の色及び第２の色を有し、制御部が第１の着色部分及び第２の着色部分を検出し、当該第１の着色部分及び第２の着色部分に基づいてマスキング領域を画定しているので、表示領域に対するマスキング領域を正確に画定することができる。すなわち、第１の色及び第２の色により、マーク部をその他の部分と明確に区別することができると共に、用紙の画像情報においても、第１の着色部分及び第２の着色部分が近接した部分（マーク部に対応する部分）をその他の部分と明確に区別することができる。これにより、用紙の画像情報においてマスキングをするべき部分（マーク部に対応する部分）を正確に認識することができるので、マーク部の表示領域に対するマスキング領域を正確に画定することができる。よって、用紙の画像を表示するときにそのマーク部分をマスキングにより正確に隠して表示することができる。
【０００８】
また、上記の画像表示システムにおいて、前記制御部は、前記用紙の画像情報を補正することが好ましい。
【０００９】
あるいは、本発明は、上記課題を解決するためになされたものであり、平面視矩形状の表示領域を有するマーク部が記入用具により記入された用紙の画像情報を処理する携帯端末装置であって、前記マーク部は、前記表示領域の一方側に付された第１の色と、当該第１の色に近接して前記表示領域の他方側に付された第２の色とを有し、前記用紙を撮像可能な撮像部と、前記撮像部により撮像された前記用紙の画像情報を表示可能な表示部と、前記表示部上に配置されたタッチパネルと、制御部と、を備え、前記制御部は、前記撮像部により撮像された前記用紙の画像情報において、前記第１の色が付された第１の着色部分及び前記第２の色が付された第２の着色部分をそれぞれ検出し、検出した前記第１の着色部分及び前記第２の着色部分が予め設定された距離より近接しているときは、当該第１の着色部分及び第２の着色部分に基づいて前記表示領域に対するマスキング領域を画定し、前記用紙の画像情報を前記表示部に表示し、前記マスキング領域にマスキング画像を表示し、前記タッチパネルのタッチに基づいて前記マスキング画像を非表示にする携帯端末装置であってもよい。
【００１０】
あるいは、本発明は、上記課題を解決するためになされたものであり、平面視矩形状の表示領域を有するマーク部を用紙に記入可能な記入用具と、前記記入用具により前記マーク部が記入された前記用紙の画像情報を処理する携帯端末装置と、を備える画像表示システムを制御する制御方法であって、前記マーク部は、前記表示領域の一方側に付された第１の色と、当該第１の色に近接して前記表示領域の他方側に付された第２の色とを有し、前記携帯端末装置は、前記用紙を撮像可能な撮像部と、前記撮像部により撮像された前記用紙の画像情報を表示可能な表示部と、前記表示部上に配置されたタッチパネルと、制御部と、を備え、前記制御部が、前記撮像部により撮像された前記用紙の画像情報において、前記第１の色が付された第１の着色部分及び前記第２の色が付された第２の着色部分をそれぞれ検出するステップと、検出した前記第１の着色部分及び前記第２の着色部分が予め設定された距離より近接しているときは、当該第１の着色部分及び第２の着色部分に基づいて前記表示領域に対するマスキング領域を画定するステップと、前記用紙の画像情報を前記表示部に表示するステップと、前記マスキング領域にマスキング画像を表示するステップと、前記タッチパネルのタッチに基づいて前記マスキング画像を非表示にするステップと、を実行する制御方法であってもよい。
【００１１】
あるいは、本発明は、上記課題を解決するためになされたものであり、平面視矩形状の表示領域を有するマーク部を用紙に記入可能な記入用具と、前記記入用具により前記マーク部が記入された前記用紙の画像情報を処理する携帯端末装置と、を備える画像表示システムを制御する制御プログラムであって、前記マーク部は、前記表示領域の一方側に付された第１の色と、当該第１の色に近接して前記表示領域の他方側に付された第２の色とを有し、前記携帯端末装置は、前記用紙を撮像可能な撮像部と、前記撮像部により撮像された前記用紙の画像情報を表示可能な表示部と、前記表示部上に配置されたタッチパネルと、制御部と、を備え、前記制御部に、前記撮像部により撮像された前記用紙の画像情報において、前記第１の色が付された第１の着色部分及び前記第２の色が付された第２の着色部分をそれぞれ検出するステップと、検出した前記第１の着色部分及び前記第２の着色部分が予め設定された距離より近接しているときは、当該第１の着色部分及び第２の着色部分に基づいて前記表示領域に対するマスキング領域を画定するステップと、前記用紙の画像情報を前記表示部に表示するステップと、前記マスキング領域にマスキング画像を表示するステップと、前記タッチパネルのタッチに基づいて前記マスキング画像を非表示にするステップと、を実行させる制御プログラムであってもよい。
【発明の効果】
【００１２】
本発明の画像表示システム、携帯端末装置、制御方法、及び、制御プログラムによれば、画像を表示するときにその一部を正確に隠して表示することができる。
【図面の簡単な説明】
【００１３】
【図１】本発明の一実施形態に係る画像表示システムの概略構成図であり、（ａ）は記入用具の側面図であり、（ｂ）は携帯端末装置の正面図であり、（ｃ）は携帯端末装置の裏面図である。
【図２】記入用具の要部拡大図である。
【図３】用紙の平面図である。
【図４】マーク部の平面図である。
【図５】携帯端末装置のブロック図である。
【図６】画像表示システムの制御方法のフローチャートである。
【図７】用紙の画像情報のイメージ図である。
【図８】表示部における用紙の画像情報の表示の一例を示す図である。
【発明を実施するための形態】
【００１４】
以下、本発明の実施形態について添付図面を参照して説明する。図１は、本発明の一実施形態に係る画像表示システムの概略構成図であり、（ａ）は記入用具の側面図であり、（ｂ）は携帯端末装置の正面図であり、（ｃ）は携帯端末装置の裏面図である。図１に示すように、この画像表示システム１は、記入用具２および携帯端末装置３を備えている。
【００１５】
まず、記入用具２について説明する。この記入用具２は、ユーザーが把持可能な用具本体２２と、用具本体２２の先端から突出する記入部２３とを備えており、記入部２３の先端を用紙２１の表面に接触させた状態でこの表面に沿って移動させることにより、用紙２１に線等を記入できるように構成されている。図２は、図１（ａ）の鎖線部分をＸ方向に見たときの記入用具２の要部拡大図である。図２に示すように、記入部２３は、一方側に位置する第１の色記入部２３ａと、他方側に位置する第２の色記入部２３ｂとに区分されており、両記入部２３ａ、２３ｂは、互いに近接して配置されている。また、第１の色記入部２３ａ及び第２の色記入部２３ｂには、それぞれ、第１の色及び第２の色の液体インクが含まれており、用紙２１に第１の色及び第２の色を付すことができる。液体インクとしては、蛍光塗料等を例示することができる。
【００１６】
図３は、用紙２１の平面図である。用紙２１は、例えば、書籍、教科書、ノート等に用いられる公知のものであり、図３に示すように、用紙２１の表面には、文字（本実施形態では、「あいうえお」）が表示されており、この文字の上に重ねてマーク部１１が表示されている。図４は、マーク部１１の平面図である。マーク部１１は、記入用具２の記入部２３により記入されたものであり、図４に示すように、平面視矩形状の表示領域１２を有している。このマーク部１１は、下の文字（あいうえお）が視認できるように用紙２１に表示されており、表示領域１２の一方側に位置する第１識別部１３と、第１識別部１３に近接して表示領域１２の他方側に位置する第２識別部１４とを有しており、この第１識別部１３及び第２識別部１４は、表示領域１２の長手方向に沿って平行に延びるように表示されている。また、第１識別部１３及び第２識別部１４は、それぞれ、記入用具２の第１の色記入部２３ａ及び第２の色記入部２３ｂにより記入されたものであり、第１識別部１３には第１の色１５が付され、第２識別部１４には第１の色１５と識別可能な第２の色１６が付されている。図４に示した表示領域１２における斜線のハッチングが第１の色１５であり、網かけ線のハッチングが第２の色１６である。第１の色１５及び第２の色１６は、互いに異なる色であれば特に限定されるものではなく、任意の色を適宜用いることができる。本実施形態では、第１の色１５として緑色を用い、第２の色１６として橙色を用いている。また、第１識別部１３の幅ｗ１と第２識別部１４の幅ｗ２との比率は、特に限定されないが、７：３〜９：１が好ましい。また、第１識別部１３と第２識別部１４との距離は、例えば０．０５ｍｍ以下に設定されており、本実施形態では、両者が境界１７を介して互いに接触している。なお、境界１７は説明の便宜上表示しているものであり、実際には用紙２１に表示されない。また、用紙２１には、記入用具２によって記入されたマーク部１１とは別に、第１の色１５（緑色）や第２の色１６（橙色）が表示されている場合がある。つまり、マーク部１１とは何ら関係なく、第１の色１５や第２の色１６が偶然に用紙２１に記入されていることなどがある。例えば、マーク部１１とは関係なく、ユーザーが誤って用紙２１に第１の色１５又は第２の色１６を記入してしまった場合等が考えられる。
【００１７】
次に、携帯端末装置３について説明する。図５は、携帯端末装置のブロック図である。図１及び図５に示すように、携帯端末装置３は、装置本体４、撮像部５、表示部６、タッチパネル７、記憶部８および制御部９を備えている。またその他に、携帯端末装置３は、無線通信のためのアンテナ、音声通話のためのマイクやスピーカーなどを備えている（いずれも図示せず）。このような携帯端末装置１としては、特に限定されるものではなく、例えば、スマートフォン、携帯電話機、ＰＤＡなどが挙げられる。
【００１８】
装置本体４としては、公知のスマートフォンの本体を用いることができ、電源スイッチや各種のボタンを備えている。また、撮像部５は、レンズを通して入射する被写体像を撮像する公知の構成であり、用紙２１を撮像することができる。このような撮像部５としては、例えば、アナログ電気信号を出力するＣＣＤ（Charge Coupled Device）やＣＭＯＳ（Complementary Metal Oxide Semiconductor）等の撮像素子を含み、レンズを通して入射する被写体像を光電変換し、撮像素子からのアナログ電気信号をデジタル電気信号に変換して画像データを出力するものを用いることができる。
【００１９】
表示部６としては、液晶ディスプレイや有機ＥＬディスプレイ等の公知の表示デバイスを用いることができ、その表示画面上に画像情報等を表示することができる。また、タッチパネル７は、ユーザーが表面をタッチしたときにそのタッチ位置を認識可能な公知のタッチパネルであり、表示部６の上に重ねて配置されている。このタッチパネル７としては、抵抗膜方式、表面弾性波方式、電磁誘導方式、静電容量方式等、公知の方式のものを用いることができる。また、このタッチパネル７をユーザーがタッチすることにより、各種の入力をすることができる。例えば、タッチパネル７のタッチにより、撮像部５による撮像、表示部６における表示の指示を入力することができる。
【００２０】
記憶部８は、情報処理のためのプログラム及びデータを記憶する公知のハードディスク又は半導体メモリなどの記憶媒体により構成されている。この記憶部８は、撮像部５により撮像された用紙２１の画像情報を記憶することができる。画像情報は、例えば、ｊｐｅｇ及びｇｉｆなどのファイル形式により記憶される。また、記憶部８には、画像表示システム１を制御するための制御プログラムが記憶されている。また、記憶部８はその他にも各種の情報を適宜記憶することができる。
【００２１】
制御部９は、プログラム及びデータに基づいて情報処理をする公知のＣＰＵなどのプロセッサにより構成されている。この制御部９は、記憶部８に記憶された画像表示システムの制御プログラムを実行することにより、上記の各構成要素を制御することができる。画像表示システムの制御の詳細については、以下に説明する。
【００２２】
次に、上記のような構成を備える画像表示システムを制御する制御方法について説明する。この制御方法は制御プログラムにより実行される。図６は、画像表示システムの制御方法のフローチャートである。この画像表示システム１ではまず、ユーザーが用紙２１に記入用具２でマーク部１１を記入する。より詳細には、記入部２３を用紙２１に当接させた状態で、この記入部２３を動かすことによりマーク部を記入できる。図３に示す例では、用紙２１に表示された文字（あいうえお）の上に重ねてマーク部１１を記入している。（ステップＳ１）
【００２３】
また、ユーザーは、用紙２１にマーク部１１を記入した後、この用紙２１を携帯端末装置３の撮像部５により撮像する（ステップＳ２）。用紙２１を撮像するときは、用紙２１の全体が撮像部５の撮像範囲に入るように行うことが好ましい。
【００２４】
ユーザーが撮像部５により用紙２１を撮像すると、制御部９は、撮像した用紙２１の画像情報を補正する（ステップＳ３）。画像情報の補正処理の方法は特に限定されるものではなく、従来公知の補正方法を用いることができる。例えば、撮像した画像情報を二値化し、そこから用紙２１の輪郭線を抽出し、抽出した輪郭線を直線近似し、その後、台形補正を行う公知の補正処理を用いることができる。この補正により、用紙２１の平面視を正確に表示するための画像情報を得ることができる。
【００２５】
図７は、用紙２１の画像情報のイメージ図である。用紙２１の画像情報の補正処理をした後、制御部９は、この用紙２１の画像情報において、第１の色１５（緑色）が付された部分（第１の着色部分３３）を検出する（図７参照）。このとき、制御部９は、用紙２１の画像情報の全体において検出処理を行う。検出処理を行うと、用紙２１に表示された第１識別部１３に対応する部分が第１の着色部分３３として検出される。また、その他に、用紙２１に第１の色１５が付された部分がある場合は、その部分も第１の着色部分３３として検出される。このように、第１識別部１３及びその他の部分も含めて、用紙２１で第１の色１５が付された全ての部分が検出されるので、用紙２１の画像情報から複数の第１の着色部分３３が検出されることがある。（ステップ４）
【００２６】
第１の着色部分３３（用紙２１の画像情報における第１の色１５が付された部分）を検出する方法としては、公知の色検出方法を用いることができる。例えば、予め基準色（本実施形態では、緑色）を設定しておくと共に、用紙２１の画像情報における各画素の色と上記基準色（緑色）とを対比して、両者の色が同一である場合は、その画素を抽出する色検出方法を用いることができる。基準色と各画素の色とを対比するときは、例えば、両者のＲＧＢ値により対比することができる。
【００２７】
次に、制御部９は、検出された各第１の着色部分３３の明度を高くする。例えば、第１の着色部分３３に含まれる画素のＲＧＢ値を調整することにより明度を高くすることができる。（ステップ５）
【００２８】
次に、制御部９は、検出された各第１の着色部分３３を膨張処理し、グレースケール化し、これを更に二値化する。また、二値化した第１の着色部分３３から輪郭線（元輪郭線）を抽出し、抽出した元輪郭線を直線近似し、近似輪郭線を画定する。これにより、第１の着色部分３３の近似輪郭線が画定される。（ステップ６）
【００２９】
次に、制御部９は、第１の着色部分３３の不要な近似輪郭線を省く（ステップ７）。より詳細には、近似輪郭線により形成される頂点の数が３つ以下の場合は、その近似輪郭線を省く。また、近似輪郭線により囲まれた領域の面積が予め設定された最小面積よりも小さい場合は、その近似輪郭線を省く。これにより、検出した第１の着色部分３３のうち、第１識別部１３に基づく第１の着色部分３３と思われないものの近似輪郭線を省くことができる。なお、不要な近似輪郭線を省くときの基準は適宜設計変更可能である。
【００３０】
また、制御部９は、用紙２１の画像情報における第２の色１６（橙色）が付された部分（第２の着色部分３４）についても、上記の第１の着色部分３３の場合と同様の処理を行う。すなわち、制御部９は、上記第１の着色部分３３と同様に、第２の着色部分３４（用紙２１の画像情報における第２の色１６が付された部分）を検出する（ステップ８）。このとき、制御部９は、用紙２１の画像情報の全体において検出処理を行う。検出処理を行うと、用紙２１に表示された第２識別部１４に対応する部分が第２の着色部分３４として検出される。また、その他に、用紙２１に第２の色１６が付された部分がある場合は、その部分も第２の着色部分３４として検出される。このように、第２識別部１４及びその他の部分も含めて、用紙２１で第２の色１６が付された全ての部分が検出されるので、用紙２１の画像情報から複数の第２の着色部分３４が検出されることがある。第２の着色部分３４を検出する方法としては、上記の第１の着色部分３３の場合と同様に、公知の色検出方法を用いることができる。また、本実施形態では、第２の着色部分３４を検出するときに予め設定しておく基準色は橙色となる。
【００３１】
また、制御部９は、検出された各第２の着色部分３４を膨張処理し、グレースケール化し、これを更に二値化する。また、二値化した第２の着色部分３４から輪郭線（元輪郭線）を抽出し、抽出した元輪郭線を直線近似し、近似輪郭線を画定する。これにより、第２の着色部分３４の近似輪郭線が画定される。（ステップ９）
【００３２】
また、制御部９は、第２の着色部分３４の不要な近似輪郭線を省く（ステップ１０）。より詳細には、近似輪郭線により形成される頂点の数が３つ以下の場合は、その近似輪郭線を省く。また、近似輪郭線により囲まれた領域の面積が予め設定された最小面積よりも小さい場合は、その近似輪郭線を省く。これにより、検出した第２の着色部分３４のうち、第２識別部１４に基づく第２の着色部分３４と思われないものの近似輪郭線を省くことができる。なお、不要な近似輪郭線を省くときの基準は適宜設計変更可能である。また、本実施形態では、第２の着色部分３４の明度調整は行っていない。
【００３３】
次に、制御部９は、検出した第１の着色部分３３及び第２の着色部分３４の中から、両者間の距離が予め設定された基準距離よりも近接しているものを検出する。例えば、予め基準距離を０．０５ｍｍに設定しておき、第１の着色部分３３と第２の着色部分３４との距離が０．０５ｍｍ以下である組み合わせを検出する。両者間の距離を計測するときは、第１の着色部分３３及び第２の着色部分３４の近似輪郭線が互いに最も近接する地点での距離を計測することが好ましい。また、複数の地点で計測した距離の平均値と基準距離とを対比してもよい。また、両者間の距離が基準距離（例えば、０．０５ｍｍ）より大きい場合は、その第１の着色部分３３及び第２の着色部分３４を省く。したがって、互いに近接した第１の着色部分３３及び第２の着色部分３４のみが抽出されることになる。これにより、表示領域１２（第１識別部１３及び第２識別部１４）に基づく第１の着色部分３３及び第２の着色部分３４のみが抽出され、それ以外は除去される。次に、制御部９は、基準距離に基づいて抽出された第１の着色部分３３及び第２の着色部分３４の近似輪郭線を合成したものをマスキング領域３２の輪郭線として画定する。したがって、基準距離より近接した第１の着色部分３３と第２の着色部分３４とを組み合わせたものの外枠がマスキング領域３２の外枠として画定される。これにより、表示領域１２（第１識別部１３及び第２識別部１４）に基づく第１の着色部分３３及び第２の着色部分３４に基づいて、当該表示領域１２に対するマスキング領域３２が画定される。（ステップＳ１１）
【００３４】
また、近接する第１の着色部分３３及び第２の着色部分３４が検出されず、マスキング領域３２の輪郭を１つも画定できない場合は、処理を終了する。
【００３５】
その後、制御部９は、用紙２１の画像情報の画質を調整する（ステップＳ１２）。画質を調整する際、画像情報のヒストグラムを均一化すると共に、ガンマ補正をすることもできる。また、制御部９は、画質調整した用紙２１の画像情報を記憶部８に記憶する（ステップＳ１３）。また、用紙２１を複数撮像したときは、それぞれの画像情報を記憶部８に記憶する。
【００３６】
次に、制御部９は、用紙２１の画像情報を表示部６に表示する。図８は、表示部における用紙２１の画像情報の表示の一例を示す図である。より詳細には、ユーザーがタッチパネル７をタッチ操作することにより表示部６に表示する画像情報を選択すると、制御部９は、記憶部８から選択された用紙２１の画像情報を呼び出し、表示部６に表示する。（ステップＳ１４）
【００３７】
次に、制御部９は、図８に示すように、マスキング領域３２にマスキング画像３５を表示することにより、このマスキング領域３２をマスキングする。より詳細には、ユーザーがマスキングしたいマスキング領域３２を選択し、そのマスキング領域３２におけるタッチパネル７をタッチすると、制御部９が、そのマスキング領域３２における用紙２１の画像情報の上に、マスキング画像３５を重ねて表示する。図８に示す例では、マスキング領域３２における用紙２１の画像情報の上に、黒色に塗り潰した画像をマスキング画像３５として表示している。これにより、マスキング領域３２における用紙２１の画像情報が覆い隠されることになる。本実施形態では、第１の着色部分３３及び第２の着色部分３４に基づいてマスキング領域３２を画定したことにより、マスキングをしたときは、マーク部１１の表示領域１２がマスキング画像３５により覆い隠されることになる。（ステップＳ１５）
【００３８】
次に、マスキング領域３２にマスキング画像３５が表示された状態で、ユーザーがマスキング領域３２におけるタッチパネル７をタッチすると、制御部９は、タッチされたマスキング領域３２におけるマスキング画像３５の表示を解除して非表示にする（ステップＳ１６）。これにより、マスキング画像の下の用紙２１の画像が表示される。例えば、図８に示す例では、文字（あいうえお）とマーク部１１の画像がユーザーから見える状態になる。
【００３９】
また、マスキング領域３２にマスキング画像３５が表示されておらず、マーク部分１１の画像がユーザーから見える状態で、ユーザーがマスキング領域３２におけるタッチパネル７をタッチすると、制御部９は再び、マスキング領域３２にマスキング画像を表示する。このように、マスキング領域３２におけるタッチパネル７をタッチすることにより、マスキング画像３５の表示／非表示を切り替えることができる。
【００４０】
以上のような構成を備える画像表示システムによれば、マーク部１１が第１の色１５及び第２の色１６を有し、制御部９が第１の着色部分３３及び第２の着色部分３４を検出し、当該第１の着色部分３３及び第２の着色部分３４に基づいてマスキング領域３２を画定しているので、表示領域１２に対するマスキング領域３２を正確に画定することができる。すなわち、第１の色１５及び第２の色１６により、マーク部１１をその他の部分と明確に区別することができると共に、用紙２１の画像情報においても、第１の着色部分３３及び第２の着色部分３４が近接した部分（マーク部１１に対応する部分）をその他の部分と明確に区別することができる。これにより、用紙２１の画像情報においてマスキングをするべき部分（マーク部１１に対応する部分）を正確に認識することができるので、マーク部１１の表示領域１２に対するマスキング領域３２を正確に画定することができる。よって、用紙２１の画像を表示するときにそのマーク部分１１をマスキングにより正確に隠して表示することができる。
【００４１】
以上、本発明の一実施形態について説明したが、本発明の具体的な態様は、上記実施形態に限定されるものではない。
【００４２】
例えば、上記実施形態では、図１及び図２に示す記入用具２によりマーク部１１を記入していたが、マーク部１１を記入するものはこの記入用具２に限定されるものではなく、適宜変更可能である。例えば、蛍光マーカー等の通常のペン型の記入用具によっても、マーク部１１を記入することができる。
【００４３】
また、上記実施形態では、第１の着色部分３３及び第２の着色部分３４の近似輪郭線からマスキング領域３２を画定していたが、マスキング領域３２を画定する方法はこの構成に限定されるものではない。例えば、輪郭線を直線近似する前の元の輪郭線からマスキング領域３２を画定してもよい。また、第１の着色部分３３及び第２の着色部分３４の画素の表示位置（座標）に基づいてマスキング領域３２を画定することもできる。このような構成によっても、マーク部１１の表示領域１２を覆い隠すためのマスキング領域３２を画定することができる。
また、上記実施形態では、記入用具２の記入部２３に液体インクが含まれている構成であったが、この構成に限定されるものではなく、例えば、記入部２３にインクテープを配置した構成であってもよい。より詳細には、第１の色記入部２３ａ及び第２の色記入部２３ｂにそれぞれ、第１の色及び第２の色のインクテープが配置されており、記入部２３を用紙２１に当接した状態で記入用具２を移動させるとインクテープが用紙２１に付着する構成であってもよい。このインクテープは、インクを含有している接着性のテープであり、用紙２１に付着可能な公知の構成である。このような構成によっても、第１の色及び第２の色を有するマーク部１１を用紙２１に記入することができる。
【符号の説明】
【００４４】
１    画像表示システム
２    記入用具
３    携帯端末装置
４    装置本体
５    撮像部
６    表示部
７    タッチパネル
８    記憶部
９    制御部
１１  マーク部
１２  表示領域
１３  第１識別部
１４  第２識別部
１５  第１の色
１６  第２の色
１７  境界
２１  用紙
３２  マスキング領域
３３  第１の着色部分
３４  第２の着色部分
３５  マスキング画像
【図１】
2013130910.tif 000003
【図３】
2013130910.tif 000004
【図４】
2013130910.tif 000005
【図５】
2013130910.tif 000006
【図６】
2013130910.tif 000007
【図７】
2013130910.tif 000008
【図８】
2013130910.tif 000009
【図２】
2013130910.tif 000010